(57)【要約】  オペレータが警報に応える際にさらに優れた選択を行うのを支援するために、警報の優先順位と警報寿命の態様を組み合わせるプラントプロセスオペレータ向けの多様なグラフィックディスプレイが提供される。開示されるグラフィックディスプレイは、特定の警報、及び同じ制御モジュール、装置モジュール等の中の他の警報との関係性についての改善された文脈情報を提供する。オペレータが複雑なプロセス環境内の連鎖反応の中の「警報の洪水」の原因を判断することに役立つような、アクティブな警報及び警報寿命プロファイルの階層状に編成されたプレゼンテーションも提供される。処理された状態とプロセス制御における変化の改善された監視のために、多種類の警報或いはディスプレイアラートも提供される。
2007536636.tif 000002
【特許請求の範囲】
【請求項１】
複数のデータ入力と、前記データ入力のための種々の警報を含むプロセス制御システム用のグラフィックユーザーインターフェースであって、
警報ディスプレイのそれぞれが警報優先順位と警報寿命の指標を提供する複数の警報の同時ディスプレイと、
を備えるインタフェース。
【請求項２】
前記警報ディスプレイのそれぞれが前記警報についての文脈情報を備え、前記インタフェースが１つの共通制御モジュール、１つの共通装置モジュール、または１つの共通プロセスユニットの内の少なくとも１つで他のすべてのアクティブな警報の指標の同時ディスプレイをさらに備える請求項１に記載のインタフェース。
【請求項３】
アクティブ警報ごとの警報寿命プロファイルとともにすべてのアクティブ警報のリストをさらに備える請求項１に記載のインタフェース。
【請求項４】
すべてのアクティブ警報のリストが、共通制御モジュール、共通装置モジュールまたは共通プロセスユニットの内の少なくとも１つに分割される請求項３に記載のインタフェース。
【請求項５】
すべてのアクティブ警報のリストが総アクティブ警報リスト、及び共通制御モジュール、共通装置モジュールまたは共通プロセスユニットの内の１つによって分割される警報の少なくとも３つのサブカテゴリを備える請求項４に記載のインタフェース。
【請求項６】
複数の警報の前記同時ディスプレイを補強するための複数の異なるオペレータにより定義可能なディスプレイアラートをさらに備える請求項１に記載のインタフェース。
【請求項７】
１つのタイプのディスプレイアラートがプロセス変数のターゲット範囲のターゲットディスプレイアラートを設定することを備え、前記ターゲットディスプレイアラートが、直ぐにまたは一定の遅延の後に開始し、無限にまたは制限された期間にわたって続行することができ、ターゲットディスプレイ警戒警報が前記ターゲット範囲に達するとき、あるいは前記ターゲット範囲が事前に選択された期間内に達成されないときに、警報を提供する請求項６に記載のインタフェース。
【請求項８】
１つのタイプのディスプレイアラートがプロセス変数の所望値範囲に範囲ディスプレイアラートを設定することを備え、前記範囲ディスプレイアラートが、直ぐにまたは一定の遅延の後に開始し、無限にまたは制限された期間にわたって続行することができ、前記プロセス変数が前記所望値範囲外に外れるときに、警報を提供する請求項６に記載のインタフェース。
【請求項９】
１つのタイプのディスプレイアラートが出力プロセス変数の所望の累積値に傾斜ディスプレイアラートを設定することを備え、前記傾斜ディスプレイアラートが、前記出力プロセス変数の実際の累積値が前記所望の累積値に近づき、超えるときに、警報を提供する請求項６に記載のインタフェース。
【請求項１０】
前記警報が警報優先順位と警報寿命のディスプレイを提供するためにカラーコード化される請求項１に記載のインタフェース。
【請求項１１】
前記警報についての情報と、前記同じ制御モジュール内でアクティブな他の警報についての情報を含む警報ごとの詳細ディスプレイをさらに備える請求項１に記載のインタフェース。
【請求項１２】
親制御オブジェクトと、前記親制御オブジェクトについてのさらに多くの情報を提供するディスプレイをナビゲートする手段をさらに備える請求項１１に記載のインタフェース。
【請求項１３】
前記インタフェースがＰＤＡまたは携帯端末に適応可能である請求項１に記載のインタフェース。
【請求項１４】
複数の前記ディスプレイアラートとすべてのディスプレイアラートの現在の状態の要約ディスプレイをさらに備える請求項６に記載のインタフェース。
【請求項１５】
どこで、いつ最も重要な警報活動が発生しているかを示す階層状の警報プロファイルディスプレイをさらに備える請求項１に記載のインタフェース。
【請求項１６】
アクティブ警報カウント対警報寿命プロファイルのグラフィックディスプレイを備える請求項１に記載のインタフェース。
【請求項１７】
前記警報プロファイルが時間帯、プラント領域、プロセスユニット及び装置モジュールの内の少なくとも１つによって定義されることができる請求項１６に記載のインタフェース。
【請求項１８】
複数のデータ入力と、前記データ入力のための種々の警報を含むプロセス制御システム用のグラフィックユーザーインターフェースであって、
警報ディスプレイのそれぞれが警報優先順位と警報寿命の指標を提供する複数の警報の同時ディスプレイと、
警報が時間帯、プラント領域、プロセスユニット及び装置モジュールの内の少なくとも１つで分類される複数の警報プロファイルと、を備え、
前記警報プロファイルがプロセスグラフィックディスプレイに重ね合わせられ、これにより前記警報プロファイルが、前記プロセスグラフィックディスプレイに示す装置概略図の空間的状況において見えるような、
インタフェース。
【請求項１９】
実行時に、少なくとも１つのモニタを備える機械に、複数のデータ入力と、前記データ入力のための種々の警報を含むプロセス制御システム用のグラフィックユーザーインターフェースを生成させる、命令が保存されている機械可読媒体であって、
前記インタフェースが
警報ディスプレイのそれぞれが警報優先順位と警報寿命の指標を提供する複数の警報の同時ディスプレイを備え、
前記警報ディスプレイのそれぞれが前記警報についての文脈情報を備え、前記インタフェースが１つの共通制御モジュール、１つの共通装置モジュールまたは１つの共通プロセスユニットの内の少なくとも１つの他の全てのアクティブ警報の指標の同時ディスプレイをさらに備え、
警報が時間帯、プラント領域、プロセスユニット及び装置モジュールの内の少なくとも１つで分類される複数の警報プロファイルを備え
前記警報プロファイルがプロセスグラフィックディスプレイに重ね合わせられ、これにより前記警報プロファイルが、前記プロセスグラフィックディスプレイに示す装置概略図の空間的状況において見えるような、
機械可読媒体。
【請求項２０】
さらに、実行時に、前記機械に、複数の警報の同時ディスプレイを補強するために複数の異なるオペレータによって定義可能なディスプレイアラートを表示させるための保存されている命令を有する請求項１９に記載の機械可読媒体。
【発明の詳細な説明】
【技術分野】
【０００１】
（関連出願）
本願は、２００４年５月４日に出願され、参照として本願全体に明示的に組み込む「プロセス制御システムを表現し、監視し、プロセス制御システムと情報交換するためのグラフィカルユーザーインターフェース」と題される米国特許仮出願第６０／５６７，９８０号の正規に出願された出願であり、その利点を優先権のために主張する。また、本願は、２００３年７月２１日に米国特許出願番号第１０／６２５，４８１号として出願され、２００４年８月５日に米国公開番号第２００４／００７５６８９号として公開され、更に順に２００２年１０月２２日に米国特許出願番号第１０／２７８，４６９号として出願され、２００４年４月２２日に米国公開番号第２００４／００７５６８９号として公開された「加工プラントにおけるスマートプロセスモジュール及びオブジェクト」と題される出願の一部継続出願としての、「加工プラントにおけるグラフィックディスプレイ要素、プロセスモジュール、及び制御モジュールの統合」と題される出願にも関連し、これらの関連出願の全体的な開示は、参照として本願全体に明示的に組み込まれている。また、本願は２００３年２月１８日に出願され、２００４年１０月７日に米国公開第２００４／０１９９９２５号として公開され、その全体的な開示が参照として本願全体に明示的に組み込まれる「加工プラント構成システムにおけるモジュールクラスオブジェクト」と題される米国特許出願第１０／３６８，１５１号にも関連する。また、本願は、本願と同日に国際（ＰＣＴ）出願として出願されており、参照として本願全体に明示的に組み込む以下の特許出願にも関連する。つまり、「プロセス環境における関連グラフィックディスプレイ」（アトーニー整理番号第０６００５／４１１１１号）、「加工プラント内のプロセスモジュール及びエキスパートシステムの統合」（アトーニー整理番号第０６００５／４１１１３号）、「統合環境におけるカスタマイズ化されたプロセスグラフィックディスプレイ層を有する加工プラントユーザーインターフェースシステム」（アトーニー整理番号第０６００５／４１１１４号）、「プロセス環境におけるスクリプトを書かれたグラフィックス」（アトーニー整理番号第０６００５／４１１１５号）、「プロセス構成及び制御環境へのグラフィック統合」（アトーニー整理番号第０６００５／４１１１６号）、「プロセス環境における複合視覚化を伴うグラフィック要素」（アトーニー整理番号第０６００５／４１１１７号）、「加工プラントにおいてグラフィックディスプレイ要素及びプロセスモジュールを構成するためのシステム」（アトーニー整理番号第０６００５／４１１１８号）、「統一プロセス制御システムインターフェース用のグラフィックディスプレイ構成フレームワーク」（代理人整理番号第０６００５／４１１２４号）、「加工プラントユーザーインターフェースにおけるマークアップ言語ベースの動態プロセスグラフィック」（アトーニー整理番号第０６００５／４１１２７号）、「プロセス制御データを修正するための方法及び装置」（アトーニー整理番号第０６００５／５９１６２２号及び第２００４０／５９−１１６２２号）、「プロセス制御データにアクセスするための方法及び装置」（アトーニー整理番号第０６００５／５９１６２３号及び第２００４０／５９−１１６２３号）、「プロセス制御システムのための統合グラフィカル実行時インターフェース」（アトーニー整理番号第０６００５／５９１６２８号及び第２００４０／５９−１１６２８号）」、「プロセス制御システムのためのサービス指向アーキテクチャ」（アトーニー整理番号第０６００５／５９１６２９号及び第２００４０／５９−１１６２９号）である。
【０００２】
プロセス制御システムのためのユーザーインターフェースが開示される。さらに詳細には、ワークステーションモニタや携帯無線端末を使用して警報トレンド機能及びスーパーインポーズ警報プロファイルをグラフィックディスプレイに実行し、さらに警報の優先順位、警報の寿命、警報プロファイルを含む特定の警報についての詳細を示すために、オペレータにより警報通知を修正、構成、及び操作できるようにする、プロセス制御システムのためのユーザーインターフェースが開示される。
【背景技術】
【０００３】
プロセス制御システムは、（例えば、化学製造、発電所制御等）製品が製造される、あるいはプロセスが制御される工場及び／またはプラントで幅広く使用されている。プロセス制御システムは、例えば、石油及びガスの掘削プロセス及び処理プロセス等の天然資源の採取においても使用される。実際上、任意の製造プロセス、農業を含む資源採取プロセスが、１つまたは複数のプロセス制御システムを適用することによって自動化されることが可能である。
【０００４】
プロセス制御システムの実現方式は長年に渡って進化してきた。旧世代のプロセス制御システムは通常専用の集中ハードウェアを使用して実現されていた。しかしながら、モデムプロセス制御システムは、通常、ワークステーション、インテリジェントコントローラ、スマートフィールドデバイス等のきわめて分散されたネットワークを使用して実現され、そのいくつかまたはすべては全体的なプロセス制御戦略または企画の一部を実行することができる。特に、大部分の近代的なプロセス制御システムは、スマートフィールドデバイス及び互いに、及び／または１本または複数のデジタルデータバスを介して１台または複数台のコントローラに通信可能に接続される他のプロセス制御構成要素を含む。これらの近代的なプロセス制御システムの多くが、共用デジタルデータバス等との使用に反して、通常、直接的にコントローラに結合される、例えば４〜２０ミリアンプ（ＭＡ）デバイス、０〜１０ボルト直流（ＶＤＣ）デバイス等の非スマートフィールドデバイスも含んでよい。
【０００５】
いずれにせよ、フィールドデバイスは、コントローラ及び／または他のフィールドデバイスから受信されるコマンドに応えてアクションを実行する制御オペレータまたはアクチュエータだけでなく、例えば入力装置（例えば、温度、圧力、流量等のプロセス制御パラメータを示すステータス信号を提供するセンサ等のデバイス）も含む。例えば、コントローラは、圧力または流量を増加するためにバルブに、温度を変更するために加熱器または冷却装置に、プロセス制御システムにおける成分を攪拌するためにミキサーに等、信号を送信してよい。
【０００６】
明らかに、複雑なプロセスシステムでは、多数の異なるフィールドデバイスが、最終的にオペレータのワークステーションで提示されるデータを送信している。さらに、フィールドデバイスのすべては、オペレータのワークステーションに直接的に「警報」を提示するか、またはフィールドデバイスにより送信される信号がソフトウェアによって翻訳され、その結果、警報がオペレータのワークステーションに送信されるかのどちらかである。オペレータは通常のシフトの間に多数の警報を受信することができる。大部分のプロセスシステムは、重大な問題が生じた後ではなく、是正処置する必要がある前に警報が送信されるように構成されている。そのため、オペレータはシフトの間に多数の「先制」警報を受信するができるため、オペレータにとって常に自分のワークステーションで受信される警報に優先順位を付ける方法が必要としている。したがって、オペレータのワークステーションで受信されている警報の数が過剰であるとき、及び警報が多すぎて直ちに処理できないときに、オペレータにより警報に優先順位を付け、警報に応える際に選択を行うことができるようにするグラフィカルインターフェースソフトウェアが必要である。
【０００７】
現在使用可能なプロセス制御システム用ユーザーインターフェースと関連する別の問題とは、警報がユーザーインターフェースまたはモニタで提示されるときに特定な警報についての文脈情報が欠如していることである。具体的には、典型的なシステムは、画面の下部に配置され、それにより日付と時刻を含む物理的なプラント構成要素及び警報についての情報のすべてが単一の行に提示される警報バナーを含んでいる。その結果として、制限された情報は一目瞭然にオペレータに提供される。オペレータは、次に、追加情報を受信し、そしていつ（つまり、今かその後か）どのような適切な処置が必要とされているかという判定を下すために、画面を操作しなければならない。他のどのアクティブな警報が同じ制御モジュール、装置モジュール、またはオペレータユニットで提示されているかという情報を含む特定の警報についての改善された情報をオペレータに与えることが、役立つ。要するに、オペレータに他のアクティブな警報に関する追加情報を提供し、それによってオペレータが他のアクティブな警報と関連して個々の警報をさらによく理解できるようにする改善された警報文脈情報が必要である。
【０００８】
プロセス制御システムの警報信号に関連する別の問題は、簡潔に言えば、編成である。詳細には、多数のフィールドデバイスが警報信号を送信するため、オペレータは非常に多くの警報信号に圧倒されることがある。この状況は通常「警報の洪水」と呼ばれている。警報の洪水の原因はシステム内で発生する問題の連鎖反応であるかもしれない。警報の洪水が発生しているときにさらによく評価し、是正処置をするためには、オペレータが警報の洪水の「最前線」で警報の洪水の原因をさらに容易に確認することができるように警報が寿命プロファイルによって階層状に編成される、複数警報の改善される編成が必要である。
【０００９】
複合システムのオペレータが直面する別の問題は受信される警報の数及び問題が発生する前にそれらを予想する能力である。詳細には、オペレータが自身に、現在使用可能な警報システムを補強するために使用される特定の情報をオペレータに提供する「ディスプレイアラート警報」を提供する必要がある。詳細には、このようなディスプレイアラート警報はシフトまたはセッション固有であり、オペレータが問題を予測できるようにする戦術的なアラート警報情報を提供できる。このような戦術的なディスプレイアラート警報は一時的な操作上のターゲットを提供すし、あるいはオペレータが、予想される制御システム応答が達成されていることを確実にするのに役立つ。
【発明の開示】
【発明が解決しようとする課題】
【００１０】
前述されたニーズを補うために、警報の優先順位と警報の寿命の指示を結合し、オペレータが一つの警報に関する他の詳細のディスプレイを操作できるようにするカラーディスプレイ符号化方法及びソフトウェアが開示されている。
【００１１】
ある実施形態では、開示されている警報「詳細ディスプレイ」は、親制御オブジェクト（装置モジュール、ユニット等）とプラント領域だけではなく同じ制御モジュールの中でもアクティブな他の警報に関する情報と、選択された警報に関する情報を結合し、それらの制御オブジェクトに関するさらに多い情報を提供するディスプレイをナビゲートするための手段を含む。
【００１２】
ある実施形態では、無線装置及び／または携帯端末（例えば「ポケットＰＣ」または「ＰＤＡ」）に適切である警報監視ディスプレイが開示されている。
【００１３】
ある実施形態では、「一時的な」状態または動作の進行を監視するためにプロセス制御システムに「恒久的な」警報を補足する動的に構成可能な「ディスプレイ警報」が開示されている。このようなディスプレイアラート警報は、指定された期間にわたって一定のターゲット値（＋／−許容エラー）を維持することに役立つ制御パラメータのための「ターゲット」アラート警報、指定された範囲内に制御パラメータがとどまることを保証するための「範囲」アラート警報、制御パラメータが所望期間内において新しいターゲット値まで線形に変化することを保証するための「傾斜」アラート警報、及びどのアラート警報が実行しているか及び前記アラート警報の現在の状態を定義し特定するための「ディスプレイアラート警報」の要約ディスプレイを含むが、これらに限定されない。
【００１４】
ある実施形態では、最も重大な警報活動がどこで及びいつ行われているかを指摘することを目的とする階層的な「警報プロファイル」ディスプレイが開示されている。このような警報プロファイルディスプレイは、いつオペレータが「警報の洪水」に直面するかの警報または表示を提供できる。改良版では、警報プロファイルディスプレイがアクティブな警報カウント対警報寿命を示すことができる。別の改良版では、警報プロファイルは（ａ）すべての、または選択された警報、（ｂ）すべての、または選択されたプラント領域、（ｃ）すべての、または選択された装置ユニット、及び／または装置モジュールのための選択可能な時間帯を含むことができる。別の改良版では、警報プロファイルディスプレイは警報寿命ごとの警報要約を含み、それによって「警報の洪水」の「最前線」で発生した依然としてアクティブな警報を特定することが容易にされる。
【００１５】
ある実施形態では、警報プロファイルがプラント装置の概略図の空間的状況、及びオペレータが精通しているプロセスグラフィックディスプレイフォーマットによって見られるように、制御ユニット、装置モジュールなどと関連するグラフィック要素を検出するための手段を含むプロセスグラフィックディスプレイ上において一時的なディスプレイ層の形で警報プロファイルを自動的に重ね合わせるための多様な手段が開示されている。
【００１６】
開示されている実施形態及び方法は、以下の図中で多少模式的に説明されている。
【００１７】
図が正確な縮尺ではなく、多様なグラフィックディスプレイが、部分図、線図及び断片図で示されていることが理解されるべきである。いくつかの図では、本開示の理解に必要ではない、あるいは他の詳細を知覚するのを難しくする詳細は省略された可能性がある。本開示がここで図解されている特定の実施形態またはグラフィックディスプレイに限定されないことが理解されるべきである。
【発明を実施するための最良の形態】
【００１８】
図１及び図２を参照すると、画面１０が警報パネル１１、システムステータスパネル１２、メインディスプレイ領域１３、ツールパネル１４、及びセレクタパネル１５を含むような、単一モニタワークステーショングラフィックディスプレイが示されている。図１に示されている画面１０では、警報パネル１１は、図２にも示されているように、ＦIＣ−１０１として識別され、リアクタ１７に対する一次入口である図２の中の１６で示すオブジェクトと同一視されるコントロールバルブの適度な優先順位警報を示す。警報は図１の中の１８で示される。ある実施形態では、警報パネル１１の背景の色は、警報がいつ作動されたかを示すことができる。例えば、着色された背景は一時間を超過してアクティブであった警報に使用され、暗いあるいは黒い背景は８時間以上続いてアクティブであった警報に対して使用されることができ、白または空白な背景は非常に最近の警報に使用されることができるであろう。ＦIＣ−１０１用の警報バナー１１に示される要約は、図１と図２のインジケータ２２の隣の「ｉ」ボタン２１をクリックすることによって作成される。追加情報については、オペレータはフローティングディスプレイ２４を生じさせるための図１の「ｉ＋」ボタン２３をクリックできる。
【００１９】
ボタン２３のためのディスプレイロジックは、現在警報バナー１１で選択されている警報のためにモジュール名“ＦＩＣ−１０１”を捕捉し、“Ｄｉｓｐｌａｙ＝‘ＤｖＡｌａｒｍＩｎｆｏ’；Ｍｏｄｕｌｅ＝‘ＦＩＣ−１０１’”という呼び出し情報文字列を構築し、それをワークスペース関数“ＯＰＥＮ＿ＤＩＳＰＬＡＹ”に渡す。ＤｖＡｌａｒｍＩｎｆｏディスプレイはＡＬＡＲＭＩＮＦＯのパネルカテゴリで構成された。ここで活用されているフレームワークでは、フローティングパネルがＤｖＡｌａｒｍＩｎｆｏディスプレイのために選ばれるようにＡＬＡＭＩＮＦＯカテゴリターゲットとなるように構成される単一フローティングパネルがある。別のディスプレイが現在開いている場合、ボタン２３が押されると、このディスプレイは閉じられ、図１に示されているようなディスプレイ２４が開かれる。
【００２０】
図１の２４で示されているような“ＤｖＡｌａｒｍＩｎｆｏ”ディスプレイにおけるディスプレイロジックは、その開始情報のためにモジュール名を必要とする。ディスプレイロジックは“ＦＩＣ−１０１”を検出すると、ＦＩＣ−１０１と標識された（図２を参照）バルブ１６、及びその包含ユニットと装置モジュールについての情報を取得するために、そのモジュール名をデータサービス層へのアクセス時に使用する。バルブＦＩＣ−１０１及びその関連モジュールにおける警報状況を理解した上で、オペレータは警報バナー１１のボタン２２を押すことによって“ＤｖＡｌａｒｍＩｎｆｏ”フローティングパネル２４を閉じ、図２に示されるようにＦＩＣ−１０１の一次制御ディスプレイを観察する。
【００２１】
依然として図２を参照すると、ほんの一例として、警報バナー１１ボタン用のディスプレイロジックがモジュール名（“ＦＩＣ−１０１”）を捕捉し、“Ｐａｎｅｌ＝‘ＭＡＩＮ’；Ｍｏｄｕｌｅ＝‘ＦＩＣ−１０１’；Ｓｅｌｅｃｔ＝“ＦＩＣ−１０１”；ＫｅｅｐＡＲＳｃｒｏｌｌＯｎｅＤｉｍ”という呼び出し情報文字列を構築し、該文字列をワークスペース関数“ＯＰＥＮ＿ＰＣＤ”に渡す。ＯＰＥＮ＿ＰＣＤ関数はモジュール“ＦＩＣ−１０１”用の一次制御ディスプレイ名“ＲＥＡＣＴＯＲ１＿ＴＯＰ”を解く。ディスプレイロジックは次にワークスペースに対して、ＰＡＮＥＬ＝‘ＭＡＩＮ’を解き、現在そのパネルでのディスプレイをＲＥＡＣＴＯＲ１＿ＴＯＰで置換するように要求する。ＲＥＡＣＴＯＲ１＿ＴＯＰは別のシステムからのＰ＆ＩＤ図のインポートによって生じたので、そのネイティブアスペクト比は現在のフレームワークにおけるＭＡＩＮパネル１３よりはるかに広い。“ＫｅｅｐＡＲＳｃｒｏｌｌＯｎｅＤｉｍ”指令は、収まらないディスプレイの部分にスクロールバーを用いて、ＭＡＩＮパネル１３に充填するようにＲＥＡＣＴＯＲ１＿ＴＯＰを拡大縮小する間、ＲＥＡＣＴＯＲ１＿ＴＯＰのアスペクト比を維持しなければならないと述べている。
【００２２】
Ｓｅｌｅｃｔ＝“ＦＩＣ−１０１”指令は“ＲＥＡＣＴＯＲ＿１ＴＯＰ”に転送され、ＲＥＡＣＴＯＲ＿１ＴＯＰに、“ＦＩＣ―１０１”に関連する「最良の」選択可能グラフィックオブジェクトを解くように命令し、ＲＥＡＣＴＯＲ＿１ＴＯＰに選択フォーカスを自動的に与える（選択されたオブジェクトが可視になり、可能な限りＭＡＩＮパネルの中心位置されるように、必要に応じてディスプレイをスクロールして）。“ＫｅｅｐＡＲＳｃｒｏｌｌＯｎｅＤｉｍ”指令と、“Ｓｅｌｅｃｔ”指令の存在は、ディスプレイが同じユーザ／セッションで開かれるときに、ディスプレイ上で前回使用されたスケーリングとスクロール位置を覚えるデフォルトのワークスペース動作を優先させる。
【００２３】
「近傍の」警報状態とプロセス測定値を検討した後、オペレータはＦＩＣ−１０１での設定点に調整を加え、そのコントロールループがどのように反応するかを見守ることを選択する。図２に示されているフェースプレートディスプレイ２５はオペレータの考えを表す理想的なインタフェースであるため、オペレータは依然として警報バナー１１内にあるＦＩＣ−１０１ボタン２２を押す。フェースプレートボタン２２のためのディスプレイロジックはモジュールに関連するモジュール名（“ＦＩＣ−１０１”）を捕捉し、"Ｍｏｄｕｌｅ＝‘ＦＩＣ−１０１’“という呼び出し情報文字列を構築し、それをワークスペース関数“ＯＰＥＮ＿ＦＰＤ”に渡す。
【００２４】
ＯＰＥＮ＿ＦＰＤ関数は、モジュール“ＦＩＣ−１０１”用のフェースプレートディスプレイ名“ＰＩＤ＿ＬＯＰＯ＿ＦＰ”を解く。“ＰＩＤ＿ＬＯＯＯＰ＿ＦＰ”ディスプレイ２５は「ＦＰ」のパネルカテゴリで構成された。現在のフレームワークでは、「ＦＰ」ターゲットとなるように構成された現在両方とも空である２つのフローティングパネルがあり、左側のフローティングパネル２５が、フローティングパネル「使用順序」構成の中で他方のフローティングパネルの前方に配置されていたため、選ばれる。ＰＩＤ＿ＬＯＯＰ＿ＦＰディスプレイ２５のインスタンスがそこで開かれ、それに開始情報：“Ｍｏｄｕｌｅ＝‘ＦＩＣ−１０１’”に渡す。
【００２５】
“ＰＩＤ＿ＬＯＯＰ＿ＦＰ”ディスプレイ２５のディスプレイロジックはモジュール名がその開始情報の中にあることを望む。ディスプレイロジックは“ＦＩＣ−１０１”を検出すると、データサービス層へのアクセス時にそのモジュール名を使用し、それを読み取るＦＩＣ−１０１の中のパラメータを特定する。バルブＦＩＣ−１０１（図２の１６を参照）からの複数のパラメータ値／フィールド値がＦＩＣ−１０１ディスプレイ２５のなかで繰り返し使用され、最も顕著に繰り返し使用されるのは圧力値「ＰＶ」に関連するスケーリングパラメータとシステム圧力「ＳＰ」パラメータである。“ＰＩＰＤ＿ＬＯＯＰ＿ＦＰ”のための「事前更新」ロジックがＥＵ０値とＥＵ１００値、エンジニアリングユニット文字列、及び小数位情報を読み取り、それらを“ＰＩＤ＿ＬＯＯＰ＿ＦＰ”内の任意のグラフィック要素に引用されることができる「ローカルディスプレイ変数」に記憶する。迅速には、“ＰＩＤ＿ＬＯＯＰ＿ＦＰ”の新しいインスタンスがそのアンカーポイントに当初位置されたフローティングパネルに現れる。
【００２６】
図３を見ると、オペレータが大幅なシステム圧力変更が適切であると考え、上方移動２６または下方移動２７ボタンを使用してうまくいかない場合、オペレータは設定点値を示すボタン２８を押すことができる。システム圧力ボタン２８クリック用のディスプレイロジックは、標準数値データダイアログを提供するようにワークスペースに要求する。図３の“ＰＩＤ＿ＬＯＯＰ＿ＦＰ”ディスプレイ２５ａは、ＰＤＡで実行中のワークスペースにでも使用されるように設計されているため、ディスプレイロジックは“ＩｎＰａｒｅｎｔＤｉｓｐｌａｙ；ＤｏｃｋＢｏｔｔｏｍ；Ｔｉｔｌｅ＝‘ＦＩＣ−１０１／ＰＩＤ１／ＳＰ．ＣＶ’”というパラメータ情報文字列を構築し、それをワークスペース関数“ＮｕｍｅｒｉｃＤａｔａＥｎｔｒｙ”に渡す。ＮｕｍｅｒｉｃＤａｔａＥｎｔｒｙワークスペース関数は、ワークスペースが、“ＳｈｏｗＫＢＯｎＳｃｒｅｅｎ”優先順位（おそらくキーボードが常に存在しないハードウェア上で実行している）で開始されたことを知っているため、画面上キーパッドを用いて標準的な数値データダイアログのインスタンスを選ぶ。ワークスペースは“ＰＩＤ＿ＬＯＯＰ＿ＦＰ”ディスプレイのこのインスタンスの寸法と位置を解き、ダイアログボックスをフェースプレートディスプレイの下端に配置する。
【００２７】
オペレータはボックス２９の中に設定点の新しい値を入力できる。次にオペレータは設定点ボタン２８に示されている値に反映される設定点の新しい値を確かめて、コントローラが現在新しい設定点を使用している／報告していることを保証される。図３に示されているモードは、ＡＵＴＯであるため、制御（バルブ）出力におけるいくつかの変化が確認され、その後すぐに圧力は所望の方向に移動し始まる。
【００２８】
図４では、オペレータは画面１０ａ、１０ｂ、１０ｃによってスリーモニタワークスペースを使用することができる。新しい警報が警報バナー１１ｂまたは１１ｃに表示されると、オペレータはバナーに現れる「タグ」を認識し、モジュール説明を確認することができる。ＦＩＣ−１０１（図２を参照）より上流側の問題を補正するために、オペレータは図２の左フェースプレートボタン３１を押して上流の構成要素を見ることができる。図４と図５のスリーモニタディスプレイによって、オペレータは左のモニタ画面１０ａ内の空のウィンドウ枠３２から３５の内の１つに上流ディスプレイのコピーを入れることができる。これを達成するために、オペレータは、メインパネル１０ｂ上のツールバー１４ｂにある「パネルの内容をコピーする」ボタン３６を押す。パネルの内容をコピーするボタン３６の後ろのディスプレイロジックは“Ｐａｎｅｌ＝ＭＡＩＮ”というパラメータ情報文字列を用意し、ワークスペース関数ＣｏｐｙＰａｎｅｌＣｏｎｔｅｎｔを呼び出す。ＣｏｐｙＰａｎｅｌＣｏｎｔｅｎｔ関数は、現在、指定されたパネルの中のディスプレイ名、そのディスプレイを作成するために使用される開始情報、及び現在のスケーリング及びスクロール位置設定値を捕捉する。
【００２９】
オペレータは次に、左モニタ或いは画面１０ａの、例えばパネル３３のような空のパネルの結合された情報とツールボタンバー３８における「貼り付け」ボタン、例えば３７を
押す。貼り付けボタン３７は、実質的に“Ｐａｎｅｌ＝‘＜ｍｙ  ｐａｎｅｌ  ｉｄ＞’；ＵｓｅＳｏｕｒｃｅＳｃａｌｅ”というパラメータ情報文字列を用意し、「コピーされたパネルの内容を」を「この」パネル（この場合は３３）に「貼り付ける」というワークスペース関数を呼び出す。ディスプレイの新しいインスタンスが、原始の開始情報と一緒にパネル３３で開かれる。ソースディスプレイのスケーリングが保存されるが、パネルはソースパネルのサイズの半分であるため、ビューはソースビューの中心点を中心にし、横のスクロールバーと縦のスクロールバーが表示される。
【００３０】
図６を見ると、オペレータまたは運行監督者がＰＤＡ４０を使用してシステムを監視している。図７に示されているように、オペレータはメインパネル４１の中で“ＴＯＰ＿ＡＬＡＲＭＳ”ディスプレイを開いたままにすることができる。ＴＯＰ＿ＡＬＡＲＭＳディスプレイは図７に示されるようにツールバーパネル４３の中の「トップ」ボタン４２を押すことによって閉じることができる。
【００３１】
図８では、ＰＤＡ４０は警報バナー４４とオプションで警告レベルの警報音を作成する。オペレータは「ｉ＋」ボタン４５を押すことによって、このモジュール、装置モジュール及びユニットにおける他の警報をチェックすることができる。ＰＤＡ４０の「ｉ＋」ボタン４５のディスプレイロジックは、選択されたモジュールのためにＡＬＡＲＭＩＮＦＯディスプレイを呼び出すようにデザインされている。通常、ＡＬＡＲＭＩＮＦＯディスプレイは、ディスプレイ構成記憶装置ルートディレクトリの下のＤＥＦＡＵＬＴサブツリーから取り出されるであろう。しかしながら、このワークスペースは開始情報“ＤｉｓｐｌａｙＰｒｅｆ＝ＰＤＡ”で開始されたため、それはＤＥＦＡＵＬＴサブツリーの中でＡＬＡＲＭＩＮＦＯと名づけられるディスプレイ定義を探す前に、ＰＤＡと名付けられたサブツリーの中で前記ディスプレイ定義を検出しようとするであろう。
【００３２】
一例として、図９に示されるような単一ワークステーションに戻ると、オペレータはリアクタ１（ＲＸＴＲ１）の一次入口フローコントロールループ上の間欠偏差警報に注意している。リアクタ１の一次制御ディスプレイを観察することによって、オペレータは、新しい生産率の結果としてデマンドが数分間ピークになっている時に偏差警報が発生すると結論できるであろう。入口フロー供給ポンプＶＳＰＭＰ−１０１に関する情報を取り出すために、オペレータはポンプＶＳＰＭＰ−１０１を表すグラフィックオブジェクト５１をクリックし、図１０のディスプレイを生成する。図９のディスプレイの中のポンプオブジェクト５１は、グラフィックオブジェクトの標準ライブラリから取り出されてもよく、選択された時に図９に図示されるようにポンプＶＳＰＭＰ−１０１の回りの破線ボックスとポンプのタグ文字列によって選択を示し、ランタイムオブジェクトブラウザアプリケーションを開くボタンを可視にするような選択ターゲットとして構成することができる。ポンプＶＳＰＭＰ−１０１或いはポンプＶＳＰＭＰ−１０１の回りのオブジェクト５１をクリックすると、前記オブジェクトが図１０の形式で選択されるというフィードバックが出され、オブジェクトブラウザボタンが現れる。
【００３３】
図１０では、オペレータはポンプＶＳＰＭＰ−１０１についての多様な情報を検討できる。第１のセクション５３は、ロケーション、ＩＤタグ番号、及び物理的仕様を含む特定のポンプについての情報を有する。ボタン５４はここでポンプＶＳＰＭＰ−１０１のための「動作ジャーナル」アプリケーションを開くために使用できる。デバイスＶＳＰＭＰ−１０１のための資産管理ソリューションズ（ＡＭＳ）ソフトウェアデータにアクセスするために、別のボタン５５が提供されている。第２のセクション５６は、ポンプのタイプとクラスについての情報を含み、製造メーカの運転方針文書、図面または識別ピクチャ、及び操作手順及び保守手順等の標準手順のようなトレーニング文書にアクセスするためのボタン５７から６０を含んでいる。第３のセクション６１はロケーション情報を提供し、第４のセクション６２はオペレータがディスプレイ１０を他の上流側または下流側のオブジェクトに変更できるようにする。
【００３４】
図１１から図１７は、ターゲットアラート警報、範囲アラート警報、及び傾斜アラート警報のプロファイルの用途を示す。例えば、オペレータが設定点の変更を行うことによってちょうど警報に応えるのを終了し、該変更がコントローラによって受け入れられたことに満足した場合、オペレータはこの変更についての一次制御ディスプレイを監視することを希望するかもしれないが、他の警報の原因で監視を行うことができない。ディスプレイアラート警報の使用は、この問題を緩和するのに役立つことができる。図１１を見ると、温度設定点変更が、リアクタ１（図９を参照）の中での製品上の温度を７２０°Ｆという新しいターゲットに上昇させるためには１時間を要する場合、オペレータは、リアクタ１の制御ディスプレイが図１１に示されるようにディスプレイアラート警報ダイアログボックス７２を表示させることを示すメインパネル１０上のツールバーパネル１４の中の「ディスプレイアラートを追加する」ボタン７１をクリックすることによってターゲットアラートを開始できる。
【００３５】
オペレータは、「ターゲットアラート」を望む場合、タブ７３を選択する。アラートオンのために設定される必要のあるパラメータは、プロセス変化によってすでにボックス７４の中に入れられている。オペレータは、７２０°というターゲット値に達したことをチェックする前に、ボックス７５に適切に記入することによって１時間という初期遅延を設定する。必要な場合、別のターゲット値がボックス７４に入力されてもよく、許容偏差範囲（＋／−５度）がボックス７６に入れられる。（ターゲット達成後少なくとも１時間にわたって、温度が低下しない、またはオーバーしないことを確認する）１時間のアラートチェック持続時間がボックス７７に入力される。オペレータが、このアラートが削除されたときにそれ以上することがない場合、「確認」ボックスはクリアされてもよい。ディスプレイ７２の中の残りのボックスは自明であり、ここでは詳細に説明しない。ターゲットアラートが終了すると、オペレータは「ディスプレイアラートを追加する」ボタン７９を押す。ディスプレイ７２は閉じ、ランタイムワークスペースが新しいディスプレイアラートを追加する。一時間以内に、コントローラは、ＴＩ／１０１−２／ＡＩ１／ＩＮ．ＣＶの値が７２０（＋／−５）度であることのチェックを開始し、次の１時間も続行する。その時点の後で、図１１に示されているターゲットアラートが自動的にそれ自体を削除する。
【００３６】
図１２に戻ると、範囲アラートは出力またはスループットの変更を登録するように望まれる。ボタン７１をクリックした後、ダイアログ７２が表示されるが、オペレータは図１２に示されるように範囲アラートタブ８１に切り替えることができる。１１２ｇｐｍという流量を望む場合、オペレータはディスプレイアラートのためにボックス８２と８３の中に範囲上限と範囲下限を設定できる。１１２．２ｇｐｍという流量がすでに確立されている場合には、したがってディスプレイアラート上の初期遅延が必要ではなくなり、ボックス８４から８６は空のままにされる。また、製品がシフト変更を超える長期間にわたって作られなければならない場合には、ボックス８７から８９も空のままにされることができ、ボタン７９をクリックすると、範囲アラートを設定することができる。
【００３７】
傾斜アラートは図１３に示されている。大きなタンクを充填する必要がある場合、オペレータはタンクファームプロセスディスプレイを引き上げ、オブジェクトブラウザアプリケーションを使用して製品移動手順チェックリストへのリンクを取得できる。適切なブロックバルブを手動で開閉した後で、オペレータはポンプを起動し、製品がタンクに移動されている過程で、安定した流量測定値を確認できる。図１３では、傾斜アラートが、目的タンク内で、ターゲット流量に基づいて１２時間（ボックス９６を参照）後に達成されるような３６０インチ（ボックス９５を参照）の水位を達成するという計画に設定される。
【００３８】
排出は計画されていないので、オペレータはその現在の測定値から次の１２時間を超えてからのターゲットまでの、タンクの水位の安定した上昇を予測する。ターゲットアラート（１２時間にわたってチェックせず）を設定するより、傾斜アラートは、タブ９１をクリックすることによって代わりに選ばれ、次の１２時間を通して安定した「傾斜」測定値をチェックすることができる。次のシフトのオペレータは移送ポンプを停止し、バルブを閉じる必要があるため、現在のオペレータは、「削除前の確認」ボックス９２にチェックマークを付け、これによって完了したアラートが次のオペレータの注意を引く。また、オペレータは、次のオペレータに何をする必要があるかを思い出させるためにボックス９３にコメントを加える。
【００３９】
図１１から図１３に説明されるディスプレイアラートをチェックするために、オペレータはツールバー１４（または警報バナーパネル１１または他の場所）の「ディスプレイアラートステータス」ボタン１０２を押す。このボタン１０２はメインパネル１０の内容を、図１１から図１３の３つのディスプレイアラートが要約されている図１４と図１５に示されているディスプレイアラートステータスアプリケーションで置き換える。図１４と図１５を比較すると、図１２の１１０から１１５ｇｐｍというターゲット流量は、図１５に表されている時間内の時点で達成されておらず、それによってターゲットレートは図１４で満たされていたが、警告インジケータ１０３が生じる。また、図１１で設定された７２０°というターゲット温度は、図１４では満たされていなかったが、図１５では満たされていた。
【００４０】
図１４と図１６に示されているように、次のシフトの間、新しいオペレータはディスプレイアラートステータスボタン１０２（図１４）を押して、前のシフトが残した内容を検討することができる。図１４は、残されている単一のディスプレイアラートを示すため、オペレータは、詳細を示すボタン１０４を押して、まだ所望の３６０インチには足りない、タンク内の３１５インチという水位を示す図１６に示されている情報を取得する。
【００４１】
数時間後、オペレータは、警報バナー１１領域のディスプレイアラートインジケータが白に変わり、点滅を開始したことに気付くであろう。ディスプレイアラートステータスディスプレイを開いた後、図１７のディスプレイは表示され、図３の傾斜アラートが完了し、確認が要求されることを示す。オペレータは次に完了したディスプレイアラートを確認し、移送ポンプが停止され、移送バルブがリセットすることができるようにＬＩ−ＴＦ１−ＰＲＤ２３の一次制御ディスプレイのボタンを押す。
【００４２】
図１８から図２０は、警報の洪水に応えるための開示された技術を示す。当業者にとって明らかとなるように、新しい警報は、オペレータがついていくことができるような速度より速く作成できる。オペレータは、図１８に示されるように、前のディスプレイに代わってメインパネル１３に表示される「警報プロファイル」アプリケーションを獲得するために、ツールバーパネル１４のボタン１１０を押すことができる。警報プロファイルチャートは、優先順位単位で積み重ねられ、前の期間を経て図表で示されているアクティブな警報カウントを示す。一番上のチャート１１１は、オペレータ制御（あるいは警報管理範囲）下のすべてのアクティブな領域のアクティブ警報プロファイルを示し、５つの最もアクティブなプラント領域のそれぞれに自動的にチャートを示し、そのうちの４つは１１２から１１５で示される。図１８から、領域「Ａ」（チャート１１２）に問題があることが明らかであるため、オペレータは図１９のより詳細なチャートを作成するためにその領域の「拡大」ボタン１１６を押すことができる。
【００４３】
図１９では、図１８のチャート１１２は図１９の上部のチャートになり、プラント区域の中の５つの最もアクティブなユニット／装置モジュールのチャートがチャート１１２の下に配置され、その内の３つが１１７から１１９に示されている。図１９は、ほぼすべての新しい警報がチャート１１７の中のリアクタ１ユニットから生じていることを示している。リアクタ１の「警報を一覧表示する」ボタン１２１を押すことによって、プロファイル時間ウィンドウ（以前の時間）の内に発生したそのユニットと関連するすべてのアクティブな警報のリストが、図１９のディスプレイの右側に表示される。「ｉ＋」ボタン１２２を使用することによって、警報のためのＤｖＡｌａｒｍＩｎｆｏディスプレイの全詳細を開くことができる。リアクタ１の警報プロファイルを別の方法で一覧するために、オペレータは図２０のディスプレイを生じさせるためにリアクタ１の「一次制御ディスプレイ」ボタン１２３を押すことができる。
【００４４】
ツールバーパネル１４上の「上級ディスプレイ機能」ボタン１２４により、オペレータは「警報プロファイルを追加する」を選択できる。これによりランタイムワークスペースは、ユニットモジュールと装置モジュールに関連するグラフィック要素、画面上でのそれらの位置を検出し、主要な装置グルーピングごとにアクティブな警報プロファイルを示す既存のディスプレイのための臨時ディスプレイ層を作成する。ディスプレイの他の層は、図２０に示されるように、警報プロファイルを見やすくするために地味にまたは半透明にされている。
【００４５】
図２１は、約１時間前の流量の明らかな低下を示すバルブのトレンドポップアップである。長期間に渡って値をチェックするために、オペレータはコントロールバー１３１の期間ボタン１３０をクリックすると、図２２に示されているように値が２時間ビューへとサイクルする。キーボード矢印キーまたはマウスを使用して、「最小値」アイコン１３２が説明文のバー１３３に表示されるまでカーソルを数個のサンプルだけ戻すことによって、オペレータは図２３に示されるような曲線の低い点を検出し、表示できる。図２４に示されるように、下向き曲線の傾斜は、低い点の垂直バー１３５の前に示される適切な場所に、別の垂直なバーを置くことによって計算することができる。１つのバルブＦＩＣ−１０２を通る流れは図２５から図２７に示されるような関連バルブＦＩＣ−１０８とＦＩＣ−１１２を通る流れと比較対照されてもよい。
【００４６】
多様なボタン、ディスプレイ、ツールバー、警報バナー、システムステータスバナー等の配置は、比較的任意であり、それらの配置は本開示の精神及び範囲から実質的に逸脱することなく修正されてもよいことが注記される。図１から図２７に開示されているグラフィックレイアウトのすべては例示的なものであって例証のためであり、本開示または捕足請求項の精神及び範囲を制限することを意図していないことが明らかである。
【００４７】
図１から図２７に示されているディスプレイの結果として、オペレータに、警報優先順位の表示と警報寿命を組み合わせ、オペレータが１つの特定の警報または複数の警報に関する他の詳細のディスプレイを処理できるようにする明確なグラフィックインタフェースが提供される。選択された警報に関する情報は、他の警報及び装置データからの情報と結合されてもよい。さらに、グラフィックディスプレイは、オペレータだけではなく監督者にもよって使用されるＰＤＡデバイスに適用可能である。また、プラントオペレータの効果を改善するために多様なタイプのディスプレイアラートと階層警報プロファイルが提供される。
【図面の簡単な説明】
【００４８】
【図１】図１のディスプレイの左下角のＦＩＣ−１０１バナーの隣にある「ｉ」ボタンをクリックすると得られる、一次入口コントロールバルブ用の拡大された警報ディスプレイが付いている警報バナーを示す単一モニタワークステーション環境のために開示されたディスプレイである。
【図２】図１または図２に示すディスプレイの左下角に配置されるＦＩＣ−１０１ボタンを押すことによって得られるバルブＦＩＣ−１０１用の一次制御ディスプレイである。
【図３】図２のフローティングディスプレイに示される設定点値（６８０）をクリックすることによって拡大され、オペレータが提供されているスペースに新しい設定点値を入力できるようにする図２のディスプレイの左上部のフローティングパネルの拡大図である。
【図４】本開示に従って設計される多様なフローティングディスプレイ付きの開示されているスリーモニタワークステーションの説明図である。
【図５】左右にあるウォッチパネルの多様な例、及び中央のパネルにおける特定の警報情報を示すスリーモニタワークステーション環境の別の図である。
【図６】携帯端末ＰＣ、ポケットＰＣまたはパーソナルデジタルアシスタント（「ＰＤＡ」）デバイス用のディスプレイの説明図である。
【図７】多様な警報が示されているＰＤＡデバイス用のディスプレイの説明図である。
【図８】図２と図３に示す入口流量コントロールバルブ用の特定の警報情報を表示するＰＤＡデバイスのグラフィックディスプレイの別の説明図である。
【図９】ＦＩＣ−１０１として識別される一次入口フローバルブに関連する警報を示すが、ＶＳＰＭＰ−１０１として識別されるオブジェクト上流ポンプが、警報の原因が調査されていくにつれて更に詳細な情報を提供するためにクリックされた単一モニタワークステーション環境用のグラフィックディスプレイを示す。
【図１０】前記ポンプＶＳＰＭＰ−１０１に関する詳細が提供される図９に関連してオペレータによって取られた処置の結果としてのグラフィックディスプレイを示す。
【図１１】オペレータが、それによって一時間の間、＋／−５°という許容偏差でリアクタタンクＴＩ−１０１のために７２０°という「ターゲット」アラートを確立したグラフィックディスプレイの説明図である。
【図１２】オペレータがそれによって特定のストリームフローが１１０から１１５ｇｐｍの範囲に入る必要があることを知り、流量がその範囲外に外れる時に発するようなアラートを設定する「範囲」アラートのグラフィックディスプレイである。
【図１３】タンク内の液位が３６０インチまで上昇するように１２時間という期間にわたって、保持タンク内で安定して傾斜した、或いは増加した体積測定についてチェックするための「傾斜」アラートのグラフィックディスプレイである。
【図１４】図１１から図１３に前述されたターゲット、範囲及び傾斜のアラートを要約する別のグラフィックディスプレイである。
【図１５】図１４に示すターゲット、範囲及び傾斜のアラートの要約の拡大図である。
【図１６】図１５に示す傾斜アラートの後に図１３に示す傾斜アラートの要約の拡大図である。
【図１７】３６０インチという目標が完了時、または完了に近づくときに図１５と図１６に示す傾斜アラートの後に図１３に示す傾斜アラートの拡大図である。
【図１８】優先順位単位で積み重ねられ、前の期間上に図表にされているアクティブな警報カウントを示す警報プロファイル要約のグラフィックディスプレイである。
【図１９】図示されるような２つのリアクタと１つのセパレータを含む特定の区域「Ａ」の警報プロファイルのグラフィックディスプレイの説明図である。
【図２０】上級ディスプレイボタン機能がクリックされ、警報要約がプロセス制御領域の概略説明図の一番上に提示されているグラフィックディスプレイである。
【図２１】過去１時間以内の流量の急激な減少を示すコントロールバルブのトレンドディスプレイの例である。
【図２２】一時間の期間と対照的に二時間という期間にわたって、図２１に示す同じコントロールバルブの別のグラフィックトレンドディスプレイである。
【図２３】最小流量値、及びいつ最小流量値が発生したかを識別するための図２１の同じデータを示す処理されたディスプレイである。
【図２４】図２１から図２３に示すコントロールバルブの４分４５秒という期間での流量の低下を示す。
【図２５】図２１から図２４に示す流量の低下の別のグラフィックプレゼンテーションである。
【図２６】同じ期間での２つの他のバルブの流量との、図２１から図２５に示すバルブの流量の低下の比較である。
【図２７】より慎重な期間でデータを分析するために使用される図２６に示されるディスプレイのさらに詳しい処理である。
【図１】
2007536636.tif 000003
【図２】
2007536636.tif 000004
【図３】
2007536636.tif 000005
【図４】
2007536636.tif 000006
【図５】
2007536636.tif 000007
【図６】
2007536636.tif 000008
【図７】
2007536636.tif 000009
【図８】
2007536636.tif 000010
【図９】
2007536636.tif 000011
【図１０】
2007536636.tif 000012
【図１１】
2007536636.tif 000013
【図１２】
2007536636.tif 000014
【図１３】
2007536636.tif 000015
【図１４】
2007536636.tif 000016
【図１５】
2007536636.tif 000017
【図１６】
2007536636.tif 000018
【図１７】
2007536636.tif 000019
【図１８】
2007536636.tif 000020
【図１９】
2007536636.tif 000021
【図２０】
2007536636.tif 000022
【図２１】
2007536636.tif 000023
【図２２】
2007536636.tif 000024
【図２３】
2007536636.tif 000025
【図２４】
2007536636.tif 000026
【図２５】
2007536636.tif 000027
【図２６】
2007536636.tif 000028
【図２７】
2007536636.tif 000029
【国際調査報告】
2007536636.tif 000030
2007536636.tif 000031
2007536636.tif 000032